(57)【要約】    【課題】警備会社にて報知させるセキュリティ情報を、当該警備会社に対応させて変更できるような操作機能および制御機能を備える。    【解決手段】集合住宅の各住戸にて発生し、セキュリティセンサ１ａ、１ｂ、・・・にて検出される異常、例えば、火災、ガス漏れ等の発生を示すセキュリティ情報を住戸親機２ａ、２ｂ、・・・にて表示させるとともに、外部設定装置５、管理室親機６、遠隔設定装置７の何れかの機器の操作を検出した制御機９の制御により、警備会社４にて報知させるセキュリティ情報を容易に変更可能とし、変更されたセキュリティ情報をメモリに保持する。    【選択図】  図１
2005079686.tif 000002
【特許請求の範囲】
【請求項１】
セキュリティセンサ（１ａ、１ｂ、・・・）からの異常を検出してセキュリティ情報を表示するためのセキュリティ機能を有する住戸親機（２ａ、２ｂ、・・・）と、前記住戸親機からの前記セキュリティ情報を受信し、前記セキュリティ情報を警備会社（４）にて報知させるための機能を有する制御機（９）とを備え、
前記警備会社にて報知させる前記セキュリティ情報を変更するように操作可能な外部設定装置（５）を有することを特徴とする集合住宅インターホンシステム。
【請求項２】
セキュリティセンサ（１ａ、１ｂ、・・・）からの異常を検出してセキュリティ情報を表示するためのセキュリティ機能を有する住戸親機（２ａ、２ｂ、・・・）と、前記住戸親機からの前記セキュリティ情報を受信し、前記セキュリティ情報を警備会社（４）にて報知させるための機能を有する制御機（９）とを備え、
前記警備会社にて報知させる前記セキュリティ情報を変更するように操作可能な管理室親機（６）を有することを特徴とする集合住宅インターホンシステム。
【請求項３】
セキュリティセンサ（１ａ、１ｂ、・・・）からの異常を検出してセキュリティ情報を表示するためのセキュリティ機能を有する住戸親機（２ａ、２ｂ、・・・）と、前記住戸親機からの前記セキュリティ情報を受信し、前記セキュリティ情報を警備会社（４）にて報知させるための機能を有する制御機（９）とを備え、
前記警備会社にて報知させる前記セキュリティ情報を変更するように操作可能な遠隔設定装置（７）を備えたことを特徴とする集合住宅インターホンシステム。
【請求項４】
前記制御機は、前記警備会社にて報知させる前記セキュリティ情報を保持するためのメモリ（９１）を有することを特徴とする請求項１乃至請求項３のうち何れか１項記載の集合住宅インターホンシステム。
【発明の詳細な説明】
【技術分野】
【０００１】
本発明は集合住宅インターホンシステムに係り、特に、集合住宅の各住戸にて発生した異常を示すセキュリティ情報を警備会社にて報知させることができる集合住宅インターホンシステムに関する。
【背景技術】
【０００２】
従来から、この種の集合住宅インターホンシステムとして、集合住宅の各住戸にて発生した異常、例えば、火災、ガス漏れ等の発生をセキュリティセンサにて検出させ、このセキュリティセンサに接続される住戸親機（住宅情報盤）から制御機を介して伝送されてくるセキュリティ情報を検出した警報会社にて当該セキュリティ情報を報知させることができる集合住宅インターホンシステムが提案されている（例えば、非特許文献１を参照）
【０００３】
【非特許文献１】アイホン  総合カタログ２００３／２００４年版（２２０、２２１ページ）
【発明の開示】
【発明が解決しようとする課題】
【０００４】
しかしながら、従来例の集合住宅インターホンシステムにおいて、警備会社にて報知されるセキュリティ情報は、例えば、火災、ガス漏れ等の発生を示す予め定められた固有のセキュリティ情報であるため、このセキュリティ情報に警備会社が対応できない場合には、セキュリティ情報毎に対応可能な複数の警備会社を設け、これら警備会社毎に数種類の制御機も必要とされる難点があった。
【０００５】
本発明は、上述の難点を解消するためになされたもので、警備会社にて報知させるセキュリティ情報を、当該警備会社に対応させて変更できるような操作機能および制御機能を備えた集合住宅インターホンシステムを提供することを目的としている。
【課題を解決するための手段】
【０００６】
上述の目的を達成するため、本発明の第１の態様である集合住宅インターホンシステムは、セキュリティセンサからの異常を検出してセキュリティ情報を表示するためのセキュリティ機能を有する住戸親機と、住戸親機からのセキュリティ情報を受信し、セキュリティ情報を警備会社にて報知させるための機能を有する制御機とを備えている。また、警備会社にて報知させるセキュリティ情報を変更するように操作可能な外部設定装置を有している。
【０００７】
本発明の第２の態様である集合住宅インターホンシステムは、セキュリティセンサからの異常を検出してセキュリティ情報を表示するためのセキュリティ機能を有する住戸親機と、住戸親機からのセキュリティ情報を受信し、セキュリティ情報を警備会社にて報知させるための機能を有する制御機とを備えている。また、警備会社にて報知させるセキュリティ情報を変更するように操作可能な管理室親機を有している。
【０００８】
本発明の第３の態様である集合住宅インターホンシステムは、セキュリティセンサからの異常を検出してセキュリティ情報を表示するためのセキュリティ機能を有する住戸親機と、住戸親機からのセキュリティ情報を受信し、セキュリティ情報を警備会社にて報知させるための機能を有する制御機とを備えている。また、警備会社にて報知させるセキュリティ情報を変更するように操作可能な遠隔設定装置を備えている。
【０００９】
本発明の第１、第２、第３の各態様のうち何れかの態様は本発明の第４の態様である集合住宅インターホンシステムにおいて、制御機は、警備会社にて報知させるセキュリティ情報を保持するためのメモリを有している。
【発明の効果】
【００１０】
本発明の集合住宅インターホンシステムの第１の態様によれば、集合住宅の各住戸にて発生し、セキュリティセンサにて検出される異常、例えば、火災、ガス漏れ等の発生を示すセキュリティ情報を住戸親機にて表示することができるばかりでなく、外部設定装置の操作を検出した制御機の制御により、警備会社にて報知させるセキュリティ情報を容易に変更することができる。
【００１１】
また、本発明の集合住宅インターホンシステムの第２の態様によれば、集合住宅の各住戸にて発生し、セキュリティセンサにて検出される異常、例えば、火災、ガス漏れ等の発生を示すセキュリティ情報を住戸親機にて表示することができるばかりでなく、管理室親機の操作を検出した制御機の制御により、警備会社にて報知させるセキュリティ情報を容易に変更することができる。
【００１２】
また、本発明の集合住宅インターホンシステムの第３の態様によれば、集合住宅の各住戸にて発生し、セキュリティセンサにて検出される異常、例えば、火災、ガス漏れ等の発生を示すセキュリティ情報を住戸親機にて表示することができるばかりでなく、遠隔設定装置の操作を検出した制御機の制御により、警備会社にて報知させるセキュリティ情報を容易に変更することができる。
【００１３】
また、本発明の集合住宅インターホンシステムの第４の態様によれば、外部設定装置、管理室親機、遠隔設定装置の何れかの機器の操作により変更された警備会社にて報知させるセキュリティ情報を制御機のメモリに保持することができる。
【発明を実施するための最良の形態】
【００１４】
以下、本発明の集合住宅インターホンシステムを適用した最良の実施の形態例について、図面を参照して説明する。
【００１５】
図１は、本発明の実施例による集合住宅インターホンシステムを示すシステム構成図である。
【００１６】
図１のシステム構成図に示す集合住宅インターホンシステムは、集合住宅の各住戸、ここでは、１０１号室、１０２号室、・・・のような所定の居室番号を有する各住戸にて発生した異常、例えば、火災、ガス漏れ等を検出するためのセキュリティセンサ１ａ、１ｂ、・・・と、集合住宅の各住戸内に設置されており、センサラインＬ1a、Ｌ1b、・・・を介して接続されたセキュリティセンサ１ａ、１ｂ、・・・からの異常を検出し、検出された異常を示すセキュリティ情報を表示するためのセキュリティ機能を有する住戸親機２ａ、２ｂ、・・・と、集合住宅の集合玄関に設置される集合玄関機３と、セキュリティセンサ１ａ、１ｂ、・・・にて検出されたセキュリティ情報を報知するための機能を有する警備会社４と、警備会社４にて報知させるセキュリティ情報を変更するように操作可能な外部設定装置５と、集合住宅の管理室内等に設置されており、外部設定装置５と同様、警備会社４にて報知させるセキュリティ情報を変更するように操作可能な管理室親機６と、外部設定装置５および管理室親機６と同様、警備会社４にて報知させるセキュリティ情報を変更するように操作可能な遠隔設定装置７と、住戸親機ラインＬ2を介してバス接続された住戸親機２ａ、２ｂ、・・・、玄関機ラインＬ3を介して接続された集合玄関機３、警備会社ラインＬ4を介して接続された警備会社４、設定装置ラインＬ5を介して接続された外部設定装置５、管理室親機ラインＬ6を介して接続された管理室親機６、一般公衆回線等のネットワーク８を介して接続された遠隔設定装置７をそれぞれ制御するための制御機９とが備えられて構成されている。
【００１７】
また、図２は、外部設定装置５の構成を示すブロック図である。
【００１８】
図２のブロック図に示す外部設定装置５は、当該外部設定装置の構成各部を制御するためのＣＰＵ（以下、外部設定装置ＣＰＵという。）５０と、外部設定装置ＣＰＵ５０により制御され、警備会社４にて報知させるセキュリティ情報を変更するための操作機能を構成する、例えば、操作ボタンやタッチパネル付表示部等の変更操作部（以下、外部設定装置変更操作部という。）５１と、外部設定装置ＣＰＵ５０および設定装置ラインＬ5の間の信号／データ伝送路を形成するためのインターフェース（以下、外部設定装置Ｉ／Ｆという。）５２とを有する。
【００１９】
また、図３は、管理室親機６の構成を示すブロック図である。
【００２０】
図３のブロック図に示す管理室親機６は、当該管理室親機の構成各部を制御するためのＣＰＵ（以下、管理室親機ＣＰＵという。）６０と、管理室親機ＣＰＵ６０により制御され、警備会社４にて報知させるセキュリティ情報を変更するための操作機能を構成する、例えば、操作ボタンやタッチパネル付表示部等の変更操作部（以下、管理室親機変更操作部という。）６１と、管理室親機ＣＰＵ６０および管理室親機ラインＬ6の間の信号／データ伝送路を形成するためのインターフェース（以下、管理室親機Ｉ／Ｆという。）６２とを有する。
【００２１】
また、図４は、遠隔設定装置７の構成を示すブロック図である。
【００２２】
図４のブロック図に示す遠隔設定装置７は、当該遠隔設定装置の構成各部を制御するためのＣＰＵ（以下、遠隔設定装置ＣＰＵという。）７０と、遠隔設定装置ＣＰＵ７０により制御され、警備会社４にて報知させるセキュリティ情報を変更するための操作機能を構成する、例えば、操作ボタンやタッチパネル付表示部等の設定操作部（以下、遠隔設定装置設定操作部という。）７１と、遠隔設定装置ＣＰＵ５０およびネットワーク８の間の信号／データ伝送路を形成するためのインターフェース（以下、遠隔設定装置Ｉ／Ｆという。）７２とを有する。
【００２３】
さらに、図５は、制御機９の構成を示すブロック図である。
【００２４】
図５のブロック図に示す制御機９は、当該制御機の構成各部を制御するためのＣＰＵ（以下、制御機ＣＰＵという。）９０と、制御機ＣＰＵ９０により制御され、外部設定装置５、管理室親機６、遠隔設定装置７の何れかの機器の操作により変更された警備会社４にて報知させるセキュリティ情報を保持するためのメモリ９１と、制御機ＣＰＵ９０および住戸親機ラインＬ2の間の信号／データ伝送路を形成するためのインタフェース（以下、住戸親機側制御機Ｉ／Ｆという。）９２と、制御機ＣＰＵ９０および玄関機ラインＬ3の間の信号／データ伝送路を形成するためのインタフェース（以下、玄関機側制御機Ｉ／Ｆという。）９３と、制御機ＣＰＵ９０および警備会社ラインＬ4の間の信号／データ伝送路を形成するためのインタフェース（以下、警備会社側制御機Ｉ／Ｆという。）９４と、制御機ＣＰＵ９０および設定装置ラインＬ5の間の信号／データ伝送路を形成するためのインタフェース（以下、外部設定装置側制御機Ｉ／Ｆという。）９５と、制御機ＣＰＵ９０および管理室親機ラインＬ6の間の信号／データ伝送路を形成するためのインタフェース（以下、管理室親機側制御機Ｉ／Ｆという。）９６と、制御機ＣＰＵ９０およびネットワーク８の間の信号／データ伝送路を形成するためのインタフェース（以下、ネットワーク側制御機Ｉ／Ｆという。）９７とを有する。
【００２５】
なお、住戸親機２ａ、２ｂ、・・・は、上述の機能の他、集合玄関に居る来訪者または管理室内等に在室中の管理人からの呼び出しが報知され、これらを確認した居住者が通話を成立させるための呼出報知・通話機能、居住者が管理人を呼び出して通話を成立させるための呼出・通話機能および所定のエリア内の住戸、例えば、近隣の住戸にて異常が発生したことを示すセキュリティ近隣情報を発報・表示させるための警報報知機能も有している。また、集合玄関機３は、上述の機能の他、来訪者が居住者または管理人を呼び出して通話を成立させるための呼出・通話機能および住戸にて異常が発生したことを示すセキュリティ情報を発報・表示させるための警報報知機能も有している。さらに、管理室親機６は、上述の機能の他、通常、来訪者または居住者からの呼び出しが報知され、これを確認した管理人が通話を成立させるための呼出報知・通話機能、管理人が居住者を呼び出して通話を成立させるための呼出・通話機能および住戸にて異常が発生したことを示すセキュリティ情報を発報・表示させるための警報報知機能も有している（図示および詳述せず）。
【００２６】
このように構成された本発明の実施例による集合住宅インターホンシステムにおいて、以下、具体的な動作について説明する。
【００２７】
なお、本発明の実施例による集合住宅インターホンシステムにおいて、集合住宅の集合玄関に居る来訪者が集合玄関機３にて所定の呼出操作を行い、住戸内に在室中の居住者または管理室内等に在室中の管理人を呼び出して通話を成立させるための動作、居住者が管理人を呼び出して通話を成立させるための動作、管理人が居住者を呼び出して通話を成立させるための動作は、それぞれ従来例の該当動作と同様であることから説明は省略する。
【００２８】
図１のシステム構成図において、集合住宅の各住戸にて発生した異常、すなわち、セキュリティセンサ１ａ、１ｂ、・・・にてそれぞれ検出される火災、ガス漏れ等の異常であり、これらセキュリティセンサ１ａ、１ｂ、・・・にセンサラインＬ1a、Ｌ1b、・・・を介して接続された住戸親機２ａ、２ｂ、・・・にて表示され、警備会社４にて報知させるセキュリティ情報を変更するためには、第１の変更手段として、図２のブロック図に示す外部設定装置５の外部設定装置変更操作部５１を操作して当該セキュリティ情報の変更を行う。
【００２９】
図２のブロック図において、外部設定装置５の外部設定装置ＣＰＵ５０は、外部設定装置変更操作部５１の操作情報であり変更されたセキュリティ情報を付加させたセキュリティ情報変更信号を外部設定装置Ｉ／Ｆ５２に出力する。このセキュリティ情報変更信号は、外部設定装置Ｉ／Ｆ５２から同図および図１のシステム構成図に示す設定装置ラインＬ5、図５のブロック図に示す制御機９の外部設定装置側制御機Ｉ／Ｆ９５を介して制御機ＣＰＵ９０へと伝送される。
【００３０】
また、図５のブロック図において、制御機９の制御機ＣＰＵ９０は、外部設定装置５からのセキュリティ情報変更信号に付加されている変更されたセキュリティ情報をメモリ９１に記憶させることにより、図１のシステム構成図に示す警備会社４にて報知させる変更されたセキュリティ情報をメモリ９１に保持することができる。
【００３１】
なお、上述の説明では、図１のシステム構成図に示す警備会社４にて報知させるセキュリティ情報を変更するための変更手段として、図２のブロック図に示す外部設定装置５の外部設定装置変更操作部５１を操作する第１の変更手段を適用させたが、当該変更手段はこれに限定されず、以下、第２、第３の各変更手段も好適とされる。
【００３２】
先ず、第２の変更手段として、図３のブロック図に示す管理室親機６の管理室親機変更操作部６１を操作して当該セキュリティ情報の変更を行うと、これを検出した管理室親機ＣＰＵ６０は、管理室親機変更操作部６１の操作情報であり変更されたセキュリティ情報を付加させたセキュリティ情報変更信号を管理室親機設定装置Ｉ／Ｆ６２に出力する。このセキュリティ情報変更信号は、管理室親機Ｉ／Ｆ６２から同図および図１のシステム構成図に示す管理室親機ラインＬ6、図５のブロック図に示す制御機９の管理室親機側制御機Ｉ／Ｆ９６を介して制御機ＣＰＵ９０へと伝送される。
【００３３】
また、図５のブロック図において、制御機９の制御機ＣＰＵ９０は、管理室親機６からのセキュリティ情報変更信号に付加されている変更されたセキュリティ情報をメモリ９１に記憶させることにより、図１のシステム構成図に示す警備会社４にて報知させる変更されたセキュリティ情報をメモリ９１に保持することができる。
【００３４】
次に、第３の変更手段として、図４のブロック図に示す遠隔設定装置７の遠隔設定装置変更操作部７１を操作して当該セキュリティ情報の変更を行うと、これを検出した遠隔設定装置ＣＰＵ７０は、遠隔設定装置変更操作部７１の操作情報であり変更されたセキュリティ情報を付加させたセキュリティ情報変更信号を遠隔設定装置Ｉ／Ｆ７２に出力する。このセキュリティ情報変更信号は、遠隔設定装置Ｉ／Ｆ７２から同図および図１のシステム構成図に示すネットワーク８、図５のブロック図に示す制御機９のネットワーク側制御機Ｉ／Ｆ９７を介して制御機ＣＰＵ９０へと伝送される。
【００３５】
また、図５のブロック図において、制御機９の制御機ＣＰＵ９０は、遠隔設定装置７からのセキュリティ情報変更信号に付加されている変更されたセキュリティ情報をメモリ９１に記憶させることにより、図１のシステム構成図に示す警備会社４にて報知させる変更されたセキュリティ情報をメモリ９１に保持することができる。
【００３６】
次に、上述の第１、第２、第３の各変更手段のうち少なくとも１の変更手段により、図５のブロック図に示す制御機９のメモリ９１に変更させたセキュリティ情報として、警報会社４にて報知させるセキュリティ情報が保持されている状態において、１０１号室内にて異常が発生、ここでは、火災が発生し、図１のシステム構成図に示すセキュリティセンサ１ａが検出すると、セキュリティセンサ１ａにセンサラインＬ1aを介して接続されている住戸親機２ａでは、自住戸にて火災が発生したことを示すセキュリティ情報を発報・表示するばかりでなく、１０１号室が有する所定の居室番号および火災が発生したことを示すセキュリティ情報を付加させた警報信号を住戸親機ラインＬ2に出力する。この警報信号は、住戸親機２ａを除く他の住戸親機２ｂ、・・・へとそれぞれ伝送されるとともに、住戸親機ラインＬ2から図５のブロック図に示す制御機９の住戸親機側制御機Ｉ／Ｆ９２を介して制御機ＣＰＵ９０へと伝送される。
【００３７】
また、図１のシステム構成図において、住戸親機２ａを除く他の住戸親機２ｂ、・・・では、住戸親機２ａからの警報信号に付加されている居室番号が自住戸親機に割り当てて予め記憶されている所定の警報エリア内の住戸親機が有する居室番号の場合には、所定の警報エリア内である近隣の住戸にて火災が発生したことを示すセキュリティ情報を発報・表示する。ここでは、住戸親機２ａが設置される住戸と同一の階（フロア）である１階の各住戸内に設置される住戸親機および１０１号室の直上階の住戸である２０１号室内に設置される住戸親機にて近隣の住戸にて火災が発生したことを示すセキュリティ情報の発報・表示が行われる（詳述せず）。
【００３８】
また、図５のブロック図において、制御機９の制御機ＣＰＵ９０は、住戸親機２ａからの警報信号に付加されている居室番号およびセキュリティ情報に基づいて、１０１号室にて火災が発生したことを検出し、メモリ９１に保持されているセキュリティ情報から警報会社４にて報知させるためのセキュリティ情報を含む警報移報信号を生成して警備会社制御機Ｉ／Ｆ９４に出力する。この警報移報信号は、警備会社制御機Ｉ／Ｆ９４から同図および図１のシステム構成図に示す警備会社ラインＬ4を介して警備会社４へと伝送される。
【００３９】
さらに、図１のシステム構成図において、警備会社４は、当該警備会社にて対応可能である制御機９からの警報移報信号に含まれているセキュリティ情報および居室番号に基づいて、（集合住宅の）１０１号室にて火災が発生したことを検出し、その旨のセキュリティ情報を報知することができる。
【００４０】
なお、上述の説明では、住戸親機２ａからの警報信号に付加されている居室番号およびセキュリティ情報に基づいて、１０１号室にて火災が発生したことを検出した制御機９の制御機ＣＰＵ９０がセキュリティ情報を報知させる対象として警備会社４を適用したが、これに限定されず、集合玄関機３や管理室親機６にて同様なセキュリティ情報を発報・表示させることもできる（詳述せず）。
【図面の簡単な説明】
【００４１】
【図１】図１は、本発明の実施例による集合住宅インターホンシステムを示すシステム構成図である。
【図２】図２は、本発明の実施例による集合住宅インターホンシステムにおいて、外部設定装置の構成を示すブロック図である。
【図３】図３は、本発明の実施例による集合住宅インターホンシステムにおいて、管理室親機の構成を示すブロック図である。
【図４】図４は、本発明の実施例による集合住宅インターホンシステムにおいて、遠隔設定装置の構成を示すブロック図である。
【図５】図５は、本発明の実施例による集合住宅インターホンシステムにおいて、制御機の構成を示すブロック図である。
【符号の説明】
【００４２】
１ａ、１ｂ、・・・ ……セキュリティセンサ
２ａ、２ｂ、・・・ ……住戸親機
４……警備会社
５……外部設定装置
６……管理室親機
７……遠隔設定装置
９……制御機
９１……メモリ
【図１】
2005079686.tif 000003
【図２】
2005079686.tif 000004
【図３】
2005079686.tif 000005
【図４】
2005079686.tif 000006
【図５】
2005079686.tif 000007